(57)【要約】      （修正有）【課題】動作点を変化させることなく、また、サイズを大きくすることなく利得の可変範囲を増大させることができる増幅器を提供する。【解決手段】差動対の複数の入力トランジスタＴ１Ｂ１〜Ｔ２Ｂ３と、複数の入力トランジスタの各ソースと基準電位点との間に並列接続されたスイッチ機能を有する複数第１の抵抗回路を有して、入力トランジスタの差動対に対応する第１の抵抗回路同士が入力トランジスタのソースとの接続点において相互に接続された動作点調整回路２１Ｎと、複数の入力トランジスタＴ１Ａ１〜Ｔ２Ａ３の各ソースと基準電位点との間に並列接続されたスイッチ機能を有する第２の抵抗回路を複数有する線形性改善回路２１Ｄと、複数の第１の抵抗回路と複数の第２の抵抗回路とを入力トランジスタの各ソースに接続するか否かを制御する制御信号を発生することで、動作点を制御しながら線形性改善効果を変更する制御回路とを具備する。【選択図】図１
2018160811.tif 000002
【特許請求の範囲】
【請求項１】
ドレインが電流源に接続されゲートに入力信号が入力される差動対の複数の入力トランジスタと、
前記複数の入力トランジスタの各ソースと基準電位点との間に並列接続されたスイッチ機能を有する第１の抵抗回路であって、前記入力トランジスタの差動対に対応する第１の抵抗回路同士が前記入力トランジスタのソースとの接続点において相互に接続された第１の抵抗回路を複数有する動作点調整回路と、
前記複数の入力トランジスタの各ソースと基準電位点との間に並列接続されたスイッチ機能を有する第２の抵抗回路を複数有する線形性改善回路と、
前記第１及び第２の抵抗回路のスイッチ機能を制御するための制御信号であって前記複数の前記第１の抵抗回路と複数の前記第２の抵抗回路とを前記入力トランジスタの各ソースに接続するか否かを制御する制御信号を発生することで、動作点を制御しながら線形性改善効果を変更する制御回路と
を具備する増幅器。
【請求項２】
前記第１の抵抗回路は、ドレインが前記入力トランジスタのソースに接続され、ソースが基準電位点に接続され、ゲートに前記制御信号が供給される第１のトランジスタによって構成され、
前記第２の抵抗回路は、ドレインが前記入力トランジスタのソースに接続され、ソースが基準電位点に接続され、ゲートに前記制御信号が供給される第２のトランジスタによって構成される
請求項１に記載の増幅器。
【請求項３】
前記制御回路は、前記制御信号によって前記入力トランジスタのソースに接続されることになった前記第１の抵抗回路の抵抗値の和と前記制御信号によって前記入力トランジスタのソースに接続されることになった前記第２の抵抗回路の抵抗値の和とを一定にするための制御信号を発生する
請求項１に記載の増幅器。
【請求項４】
前記制御回路は、前記制御信号によって前記入力トランジスタのソースに接続されることになった前記第１のトランジスタのゲート幅の和と前記制御信号によって前記入力トランジスタのソースに接続されることになった前記第２のトランジスタのゲート幅の和とを一定にするための制御信号を発生する
請求項２に記載の増幅器。
【請求項５】
複数の前記第１の抵抗回路と複数の前記第２の抵抗回路は、相互に抵抗値が同一の抵抗回路を備え、
前記制御回路は、前記相互に抵抗値が同一の抵抗回路同士を相補的に前記入力トランジスタのソースに接続させるための制御信号を発生する
請求項１又は３に記載の増幅器。
【請求項６】
複数の前記第１のトランジスタと複数の前記第２のトランジスタは、相互にゲート幅が同一のトランジスタを備え、
前記制御回路は、前記相互にゲート幅が同一のトランジスタ同士を相補的にオンにする制御信号を発生する
請求項２又は４に記載の増幅器。
【請求項７】
複数の前記第１の抵抗回路及び複数の前記第２の抵抗回路の各抵抗回路の抵抗値は、所定の比率に設定される
請求項１，３，５のいずれか１つに記載の増幅器。
【請求項８】
複数の前記第１のトランジスタ及び複数の前記第２のトランジスタの各ゲート幅は、所定の比率に設定される
請求項２，４，６のいずれか１つに記載の増幅器。
【発明の詳細な説明】
【技術分野】
【０００１】
本発明の実施形態は、増幅器に関する。
【背景技術】
【０００２】
従来、増幅器の線形性を改善させる手法として、ディジェネレーション技術が採用されることがある。例えば、ソース接地トランジスタを用いた増幅器では、ディジェネレーション抵抗によって線形性を向上させることができる。しかし、ディジェネレーション技術は線形性を改善させると同時に利得を低下させるという性質がある。従って、増幅器の利得の可変範囲を大きくする場合には、非線形歪を低減する度合い（ディジェネレーション量）を調整する必要があることがある。
【０００３】
しかしながら、ディジェネレーション抵抗の抵抗値を変更するとＤＣ動作点が変化することがある。また、ディジェネレーション量を０にすることはできず、増幅器の利得の可変範囲を十分に大きくすることはできない。また、ディジェネレーション抵抗としてトランジスタのオン抵抗を利用する場合には、増幅器の利得の可変範囲を十分に広げるために、大きなトランジスタサイズのトランジスタを設ける必要があり、チップサイズの点及び寄生容量に伴う特性上の点から問題がある。
【先行技術文献】
【特許文献】
【０００４】
【特許文献１】国際公開第２００９−１４５２８３号公報
【発明の概要】
【発明が解決しようとする課題】
【０００５】
実施形態は、動作点を変化させることなく、また、サイズを大きくすることなく利得の可変範囲を増大させることができる増幅器を提供することを目的とする。
【課題を解決するための手段】
【０００６】
実施形態の増幅器は、ドレインが電流源に接続されゲートに入力信号が入力される差動対の複数の入力トランジスタと、前記複数の入力トランジスタの各ソースと基準電位点との間に並列接続されたスイッチ機能を有する第１の抵抗回路であって、前記入力トランジスタの差動対に対応する第１の抵抗回路同士が前記入力トランジスタのソースとの接続点において相互に接続された第１の抵抗回路を複数有する動作点調整回路と、前記複数の入力トランジスタの各ソースと基準電位点との間に並列接続されたスイッチ機能を有する第２の抵抗回路を複数有する線形性改善回路と、前記第１及び第２の抵抗回路のスイッチ機能を制御するための制御信号であって前記複数の前記第１の抵抗回路と複数の前記第２の抵抗回路とを前記入力トランジスタの各ソースに接続するか否かを制御する制御信号を発生することで、動作点を制御しながら線形性改善効果を変更する制御回路とを具備する。
【図面の簡単な説明】
【０００７】
【図１】本発明の一実施の形態に係る増幅器を示す回路図。
【図２Ａ】関連技術に係る増幅器を示す回路図。
【図２Ｂ】関連技術に係る増幅器を示す回路図。
【図３】本実施の形態におけるディジェネレーション量の調整手法を説明するための説明図。
【図４】図４は制御信号ａ１〜ａ３とディジェネレーション量との関係を示す図表であり、
【図５】図５は線形性改善トランジスタ回路２１Ｄの各トランジスタのゲート幅の和（Ｔｒサイズ））と動作点調整トランジスタ回路２１Ｎの各トランジスタのゲート幅の和（Ｔｒサイズ）との関係を示す図表である。
【図６Ａ】実施の形態の動作を説明するための説明図。
【図６Ｂ】実施の形態の動作を説明するための説明図。
【図６Ｃ】実施の形態の動作を説明するための説明図。
【図７】実施の形態におけるディジェネレーション量の変化を示すグラフ。
【図８】実施の形態における利得の変化を示すグラフ。
【発明を実施するための形態】
【０００８】
以下、図面を参照して本発明の実施の形態について詳細に説明する。
【０００９】
図１は本発明の一実施の形態に係る増幅器を示す回路図である。また、図２Ａ及び図２Ｂは関連技術に係る増幅器を示す回路図である。
【００１０】
先ず、図２Ａ及び図２Ｂを参照してディジェネレーション量の可変範囲について説明する。
【００１１】
図２Ａ及び図２Ｂは差動構成の増幅器を示しており、図２Ａは同相入力に対応したものであり、図２Ｂは差動入力に対応したものである。
【００１２】
図２Ａの増幅器は、差動対を構成する入力トランジスタＴ１，Ｔ２により構成される。電源ライン９には、電流源１０，１１が接続されており、トランジスタＴ１のドレインには、電流源１０から電流が供給され、トランジスタＴ２のドレインには、電流源１１から電流が供給される。トランジスタＴ１のソースはトランジスタＴ３のドレイン・ソース路を介して基準電位点に接続される。また、トランジスタＴ２ソースはトランジスタＴ４のドレイン・ソース路を介して基準電位点に接続される。
【００１３】
トランジスタＴ１，Ｔ２のゲートには、同相入力ＩＮ，／（図中はバーで示す）ＩＮが与えられる。トランジスタＴ１のドレインからは逆相出力が出力され、トランジスタＴ２のドレインからは正相出力が出力される。
【００１４】
トランジスタＴ３，Ｔ４は、それぞれトランジスタＴ１，Ｔ２のディジェネレーション抵抗である。図２Ａの回路が同相入力の増幅器として機能する場合には、トランジスタＴ３，Ｔ４は、ディジェネレーション抵抗として機能し、トランジスタＴ３，Ｔ４のオン抵抗に応じてディジェネレーション量が変化して、増幅器の非線形性が改善される。
【００１５】
トランジスタＴ３，Ｔ４に代えて、例えばそれぞれ複数のトランジスタを採用して選択的にオンにすることによってオン抵抗可変のトランジスタ回路を採用した場合には、非線形歪を低減する度合い（ディジェネレーション量）を変化させることができる。しかし、この場合には、オン抵抗の変化に伴い動作点が変化してしまうと共に増幅率も変化する。
【００１６】
しかも、この構成ではオン抵抗を０にすることはできず、増幅率の可変範囲を十分に広げることはできないことがある。また、オン抵抗を十分に小さくするためにトランジスタサイズを大きくする必要があり、チップ面積が増大してしまう。
【００１７】
一方、図２Ｂの増幅器は、差動対を構成する入力トランジスタＴ１，Ｔ２のソース間に、可変抵抗ＶＲを接続したものである。この可変抵抗ＶＲは、図２Ｂの回路が差動入力の増幅器として機能する場合には、ディジェネレーション抵抗として機能し、可変抵抗ＶＲの抵抗値に応じて、増幅器の非線形性が改善される。
【００１８】
しかしながら、可変抵抗ＶＲの抵抗値についても０にすることはできず、増幅率の可変範囲を十分に広げることはできないことがある。
【００１９】
そこで、本実施の形態においては、差動対を構成する入力トランジスタのディジェネレーション抵抗として、複数のトランジスタを切換えることで、ディジェネレーション量を可変にする線形性改善トランジスタ回路を設けると共に、入力トランジスタ間を接続すると共に動作点を一定にするための動作点調整トランジスタ回路を備える。
（ディジェネレーション量の調整手法）
図３は本実施の形態におけるディジェネレーション量の調整手法を説明するための説明図であり、図１の増幅器の概略構成を示すものである。
【００２０】
図３の例は図２Ａ，図２Ｂの入力トランジスタＴ１に対応する２つのトランジスタＴ１Ａ，Ｔ１Ｂを採用し、入力トランジスタＴ２に対応する２つのトランジスタＴ２Ａ，Ｔ２Ｂを採用している。
【００２１】
図３中の各トランジスタ記号に付した矢印は、各トランジスタのトランジスタサイズが可変であることを示している。例えば、各トランジスタを、ドレイン・ソース路を並列接続した複数のトランジスタにより構成し、動作させるトランジスタを適宜変更可能にすることで、実質的にトランジスタサイズ（ゲート幅）を調整可能である。
【００２２】
また、正相入力トランジスタＴ１Ａのソースは、ディジェネレーション抵抗を構成するトランジスタＴ３Ｄのドレイン・ソース路を介して基準電位点に接続され、逆相入力トランジスタＴ２Ａのソースは、ディジェネレーション抵抗を構成するトランジスタＴ４Ｄのドレイン・ソース路を介して基準電位点に接続される。トランジスタＴ３Ｄ，Ｔ４Ｄのトランジスタサイズは可変であり、トランジスタＴ３Ｄ，Ｔ４Ｄのトランジスタサイズが変化することにより、ディジェネレーション量を変化させることができる。
【００２３】
すなわち、トランジスタＴ３Ｄ，Ｔ４Ｄによるトランジスタ回路は、ディジェネレーション量の変化に寄与する線形性改善回路としての線形性改善トランジスタ回路１３Ｄを構成する。
【００２４】
しかし、単にトランジスタＴ３Ｄ，Ｔ４Ｄのトランジスタサイズを変化させた場合には、オン抵抗も変化しＤＣ動作点が変化してしまう。そこで、本実施の形態においては、動作点を一定に維持するために、動作点調整回路としての動作点調整トランジスタ回路１３Ｎが設けられている。
【００２５】
正相入力トランジスタＴ１Ｂのソースは、ディジェネレーションに寄与しないトランジスタＴ１Ｎのドレイン・ソース路を介して基準電位点に接続され、逆相入力トランジスタＴ２Ｂのソースは、ディジェネレーションに寄与しないトランジスタＴ２Ｎのドレイン・ソース路を介して基準電位点に接続される。トランジスタＴ１Ｎ，Ｔ２Ｎのトランジスタサイズは可変である。
【００２６】
また、本実施の形態においては、入力トランジスタＴ１Ａ，Ｔ２Ａのソース間は、配線１２によって接続されている。この配線１２によって図２Ｂの可変抵抗ＶＲの抵抗値が０になったことと等価となり、配線１２によるディジェネレーション量は０となる。従って、図３の回路におけるディジェネレーション量は、差動入力を考慮した場合には、線形性改善トランジスタ回路１３Ｄによって決定される。
【００２７】
本実施の形態では、正相入力トランジスタＴ１Ａ，Ｔ１Ｂの各ゲート幅の和（＝逆相入力トランジスタＴ２Ａ，Ｔ２Ｂの各ゲート幅の和）が一定になるように、また、トランジスタＴ３Ｄ，Ｔ１Ｎの各ゲート幅の和（＝トランジスタＴ４Ｄ，Ｔ２Ｎの各ゲート幅の和）が一定になるように、ゲート幅の調整が行われる。
【００２８】
例えば、トランジスタＴ１Ａ，Ｔ３Ｄのゲート幅（＝トランジスタＴ２Ａ，Ｔ４Ｄのゲート幅）を４段階に制御できるものとする。この場合には、トランジスタＴ１Ｂ，Ｔ１Ｎのゲート幅（＝トランジスタＴ２Ｂ，Ｔ２Ｎのゲート幅）についても同様に４段階に制御できるように構成する。
【００２９】
トランジスタＴ１Ａ，Ｔ３Ｄのゲート幅（＝トランジスタＴ２Ａ，Ｔ４Ｄのゲート幅）を０，１ｋ，２ｋ，３ｋ（ｋは所定値）に制御した場合には、夫々トランジスタＴ１Ｂ，Ｔ１Ｎのゲート幅（＝トランジスタＴ２Ｂ，Ｔ２Ｎのゲート幅）を３ｋ，２ｋ，１ｋ，０に制御する。この場合には、トランジスタＴ３Ｄ，Ｔ１Ｎの和のゲート幅（＝トランジスタＴ４Ｄ，Ｔ２Ｎの和のゲート幅）は、常に３ｋとなり、オン抵抗は一定となる。また、線形性改善トランジスタ回路１３Ｄの各トランジスタのゲート幅の変更によって、ディジェネレーション量の調整も可能である。しかも、線形性改善トランジスタ回路１３Ｄの各トランジスタを全てオフにすることにより、ディジェネレーション量を０とすることができ、増幅器の利得を最大とすることができる。
（具体回路）
図１において、電源ライン９には電流源１０，１１が接続されている。電流源１０，１１は定電流を発生する。電流源１０は図３のトランジスタＴ１Ａに相当する正相入力トランジスタＴ１Ａ１，Ｔ１Ａ２，Ｔ１Ａ３とトランジスタＴ１Ｂに相当するトランジスタＴ１Ｂ１，Ｔ１Ｂ２，Ｔ１Ｂ３のドレインに定電流を供給可能である。また、電流源１１は、図３のトランジスタＴ２Ａに相当する逆相入力トランジスタＴ２Ａ１，Ｔ２Ａ２，Ｔ２Ａ３とトランジスタＴ２Ｂに相当するトランジスタＴ２Ｂ１，Ｔ２Ｂ２，Ｔ２Ｂ３のドレインに定電流を供給可能である。
【００３０】
正相入力トランジスタＴ１Ａ１，Ｔ１Ａ２，Ｔ１Ａ３の各ソースは夫々ディジェネレーション抵抗を構成するトランジスタＴ３Ｄ１，Ｔ３Ｄ２，Ｔ３Ｄ３のドレイン・ソース路を介して基準電位点に接続される。また、逆相入力トランジスタＴ２Ａ１，Ｔ２Ａ２，Ｔ２Ａ３の各ソースは夫々ディジェネレーション抵抗を構成するトランジスタＴ４Ｄ１，Ｔ４Ｄ２，Ｔ４Ｄ３のドレイン・ソース路を介して基準電位点に接続される。これらのトランジスタＴ３Ｄ１，Ｔ３Ｄ２，Ｔ３Ｄ３，Ｔ４Ｄ１，Ｔ４Ｄ２，Ｔ４Ｄ３（以下、代表してトランジスタＴＤともいう）によって線形性改善トランジスタ回路２１Ｄが構成される。
【００３１】
正相入力トランジスタＴ１Ｂ１，Ｔ１Ｂ２，Ｔ１Ｂ３の各ソースは夫々ディジェネレーションに寄与しないトランジスタＴ１Ｎ１，Ｔ１Ｎ２，Ｔ１Ｎ３のドレイン・ソース路を介して基準電位点に接続される。また、逆相入力トランジスタＴ２Ｂ１，Ｔ２Ｂ２，Ｔ２Ｂ３の各ソースは夫々ソースディジェネレーションに寄与しないトランジスタＴ２Ｎ１，Ｔ２Ｎ２，Ｔ２Ｎ３のドレイン・ソース路を介して基準電位点に接続される。これらのトランジスタＴ１Ｎ１，Ｔ１Ｎ２，Ｔ１Ｎ３，Ｔ２Ｎ１，Ｔ２Ｎ２，Ｔ２Ｎ３（以下、代表してトランジスタＴＮともいう）によって動作点調整トランジスタ回路２１Ｎが構成される。
【００３２】
本実施の形態においては、トランジスタＴ１Ｎ１，Ｔ２Ｎ１，Ｔ３Ｄ１，Ｔ４Ｄ１の各ゲート幅は相互に同一であり、トランジスタＴ１Ｎ２，Ｔ２Ｎ２，Ｔ３Ｄ２，Ｔ４Ｄ２の各ゲート幅は相互に同一であり、また、トランジスタＴ１Ｎ３，Ｔ２Ｎ３，Ｔ３Ｄ３，Ｔ４Ｄ３の各ゲート幅は相互に同一である。
【００３３】
また、トランジスタＴ１Ａ１，Ｔ２Ａ１，Ｔ１Ｂ１，Ｔ２Ｂ１のゲート幅は相互に同一であり、トランジスタＴ１Ａ２，Ｔ２Ａ２，Ｔ１Ｂ２，Ｔ２Ｂ２のゲート幅は相互に同一であり、トランジスタＴ１Ａ３，Ｔ２Ａ３，Ｔ１Ｂ３，Ｔ２Ｂ３のゲート幅は相互に同一である。
【００３４】
差動対を構成するトランジスタＴ１Ｂ１，Ｔ２Ｂ１のソース同士は配線Ｌ１によって接続されている。また、トランジスタＴ１Ｂ２，Ｔ２Ｂ２のソース同士は配線Ｌ２によって接続され、トランジスタＴ１Ｂ３，Ｔ２Ｂ３のソース同士は配線Ｌ３によって接続されている。
【００３５】
正相入力トランジスタＴ１Ａ１〜Ｔ１Ａ３，Ｔ１Ｂ１〜Ｔ１Ｂ３のゲートには、コンデンサＣ１を介して正相入力信号ＩＮが入力される。また、逆相入力トランジスタＴ２Ａ１〜Ｔ２Ａ３，Ｔ２Ｂ１〜Ｔ２Ｂ３のゲートには、コンデンサＣ２を介して逆相入力信号／（図中はバーで示す）ＩＮが入力される。
【００３６】
本実施の形態においては、線形性改善トランジスタ回路２１Ｄ及び動作点調整トランジスタ回路２１Ｎを制御するための制御回路３０が設けられている。制御回路３０は制御信号ａ１〜ａ３及び制御信号ａ１〜ａ３の各反転制御信号／（図中はバーで示す）ａ１〜／（図中はバーで示す）ａ３を発生する。
【００３７】
動作点調整トランジスタ回路２１Ｎ中のトランジスタＴ１Ｎ１，Ｔ２Ｎ１のゲートには制御信号ａ１が供給され、線形性改善トランジスタ回路２１Ｄ中のトランジスタＴ３Ｄ１，Ｔ４Ｄ１のゲートには反転制御信号／ａ１が供給される。トランジスタＴ１Ｎ２，Ｔ２Ｎ２のゲートには制御信号ａ２が、トランジスタＴ３Ｄ２，Ｔ４Ｄ２のゲートには反転制御信号／ａ２が供給される。トランジスタＴ１Ｎ３，Ｔ２Ｎ３のゲートには制御信号ａ３が、トランジスタＴ３Ｄ３，Ｔ４Ｄ３のゲートには反転制御信号／ａ３が供給される。
【００３８】
制御信号ａ１〜ａ３はハイレベル（以下、Ｈレベルという）又はローレベル（以下、Ｌレベルという）の信号である。従って、トランジスタＴ１Ｎ１，Ｔ２Ｎ１がオンの場合にはトランジスタＴ３Ｄ１，Ｔ４Ｄ１はオフであり、トランジスタＴ１Ｎ１，Ｔ２Ｎ１がオフの場合にはトランジスタＴ３Ｄ１，Ｔ４Ｄ１はオンである。また、トランジスタＴ１Ｎ２，Ｔ２Ｎ２とトランジスタＴ３Ｄ２，Ｔ４Ｄ２とは、一方がオンで他方がオフとなる。同様に、トランジスタＴ１Ｎ３，Ｔ２Ｎ３とトランジスタＴ３Ｄ３，Ｔ４Ｄ３とは一方がオンで他方がオフとなる。
【００３９】
次に、このように構成された実施の形態の動作について図４乃至図８を参照して説明する。図４は制御信号ａ１〜ａ３とディジェネレーション量との関係を示す図表であり、図５は線形性改善トランジスタ回路２１Ｄの各トランジスタのゲート幅の和（Ｔｒサイズ））と動作点調整トランジスタ回路２１Ｎの各トランジスタのゲート幅の和（Ｔｒサイズ）との関係を示す図表である。また、図６Ａ〜図６Ｃは線形性改善トランジスタ回路２１Ｄの各トランジスタと動作点調整トランジスタ回路２１Ｎの各トランジスタのオン，オフの状態をハッチングの有無により示す説明図である。
【００４０】
図４及び図５は、トランジスタＴ１Ｎ１，Ｔ２Ｎ１，Ｔ３Ｄ１，Ｔ４Ｄ１の各トランジスタ（以下、これらを区別しない場合にはトランジスタＴａ１という）のゲート幅と、トランジスタＴ１Ｎ２，Ｔ２Ｎ２，Ｔ３Ｄ２，Ｔ４Ｄ２の各トランジスタ（以下、これらを区別しない場合にはトランジスタＴａ２という）のゲート幅と、トランジスタＴ１Ｎ３，Ｔ２Ｎ３，Ｔ３Ｄ３，Ｔ４Ｄ３の各トランジスタ（以下、これらを区別しない場合にはトランジスタＴａ３という）のゲート幅の比は、例えば、１：２：４に設定された例を示している。例えば、トランジスタＴａ１，Ｔａ２，Ｔａ３のゲート幅がそれぞれ、１Ｋ，２Ｋ，４Ｋ（Ｋは所定値）であるものとする。
【００４１】
配線Ｌ１，Ｌ２，Ｌ３は、それぞれトランジスタＴ１Ｂ１，Ｔ２Ｂ１のソース相互間、トランジスタＴ１Ｂ２，Ｔ２Ｂ２のソース相互間、又は、トランジスタＴ１Ｂ３，Ｔ２Ｂ３のソース相互間を接続しており、差動入力を考慮した場合、これらの配線Ｌ１〜Ｌ３によるディジェネレーション量は０である。
【００４２】
いま、制御回路３０が図４の最上段に示すようにＨレベル（論理値１）の制御信号ａ１〜ａ３を発生するものとする。この場合には、動作点調整トランジスタ回路２１Ｎの全てのトランジスタＴＮがオンとなる一方、線形性改善トランジスタ回路２１Ｄの全てのトランジスタＴＤはオフである。従って、線形性改善トランジスタ回路２１Ｄの各トランジスタＴＤによるディジェネレーション量は０である。動作点調整トランジスタ回路２１Ｎの各トランジスタＴＮはディジェネレーションに寄与しておらず、増幅器全体のディジェネレーション量は０となる。従って、この場合には、図１の増幅器は最大の利得が得られる。
【００４３】
また、線形性改善トランジスタ回路２１Ｄの全てのトランジスタはオフであるので、これらのトランジスタのゲート幅の和は０と考えてよい。一方、この場合には、動作点調整トランジスタ回路２１Ｎの全てのトランジスタがオンであり、図５の最上段に示すように、これらのトランジスタのゲート幅の和は７Ｋとなる。なお、トランジスタのゲート幅の和は、差動対の一方の各トランジスタについての和を示している。
【００４４】
次に、制御回路３０が図４の２段目に示すようにＬレベル（論理値０）の制御信号ａ１と、Ｈレベル（論理値１）の制御信号ａ２，ａ３を発生するものとする。図６Ａはこの状態を示している。この場合には、図６Ａのハッチングに示すように、線形性改善トランジスタ回路２１ＤのトランジスタＴ３Ｄ１，Ｔ４Ｄ１がオンである。また、トランジスタＴ３Ｄ２，Ｔ４Ｄ２，Ｔ３Ｄ３，Ｔ４Ｄ３はオフである。従って、この場合には、線形性改善トランジスタ回路２１Ｄのゲート幅の和は１Ｋである。一方、動作点調整トランジスタ回路２１ＮのトランジスタＴ１Ｎ１，Ｔ２Ｎ１はオフで、トランジスタＴ１Ｎ２，Ｔ２Ｎ２，Ｔ１Ｎ３，Ｔ２Ｎ３がオンである（図６Ａ参照）。従って、この場合には、動作点調整トランジスタ回路２１Ｎのゲート幅の和は６Ｋである（図５の２段目）。
【００４５】
次に、制御回路３０が図４の３段目に示すようにＨレベル（論理値１）の制御信号ａ１，ａ３と、Ｌレベル（論理値０）の制御信号ａ２を発生するものとする。図６Ｂはこの状態を示している。この場合には、線形性改善トランジスタ回路２１ＤのトランジスタＴ３Ｄ１，Ｔ４Ｄ１，Ｔ３Ｄ３，Ｔ４Ｄ３がオフで、トランジスタＴ３Ｄ２，Ｔ４Ｄ２がオンである。従って、この場合には、線形性改善トランジスタ回路２１Ｄのゲート幅の和は２Ｋである。一方、動作点調整トランジスタ回路２１ＮのトランジスタＴ１Ｎ２，Ｔ２Ｎ２がオフで、トランジスタＴ１Ｎ１，Ｔ２Ｎ１，Ｔ１Ｎ３，Ｔ２Ｎ３がオンである。従って、この場合には、動作点調整トランジスタ回路２１Ｎのゲート幅の和は５Ｋである（図５の３段目）。
【００４６】
次に、制御回路３０が図４の４段目に示すようにＬレベル（論理値０）の制御信号ａ１，ａ２と、Ｈレベル（論理値１）の制御信号ａ３を発生するものとする。図６Ｃはこの状態を示している。この場合には、線形性改善トランジスタ回路２１ＤのトランジスタＴ３Ｄ１，Ｔ４Ｄ１，Ｔ３Ｄ２，Ｔ４Ｄ２がオンで、トランジスタＴ３Ｄ３，Ｔ４Ｄ３がオフである。従って、この場合には、線形性改善トランジスタ回路２１Ｄのゲート幅の和は３Ｋである。一方、動作点調整トランジスタ回路２１ＮのトランジスタＴ１Ｎ１，Ｔ２Ｎ１，Ｔ１Ｎ２，Ｔ２Ｎ２がオフで、トランジスタＴ１Ｎ３，Ｔ２Ｎ３がオンである。従って、この場合には、動作点調整トランジスタ回路２１Ｎのゲート幅の和は４Ｋである（図５の４段目）。
【００４７】
このように制御信号ａ１〜ａ３を変更しても、常に、線形性改善トランジスタ回路２１Ｄの各トランジスタＴＤと動作点調整トランジスタ回路２１Ｎの各トランジスタＴＮとは、図１の図面上縦に並んだトランジスタ同士では一方がオンで他方はオフとなる。従って、オンとなることによって各正相入力トランジスタに接続されるトランジスタのゲート幅の和、各逆相入力トランジスタに接続されるトランジスタのゲート幅の和は、それぞれ常に７Ｋとなり、一定である。従って、図５に示すように、制御信号に拘わらず、動作点は一定のままである。
【００４８】
また、線形性改善トランジスタ回路２１Ｄのゲート幅の和は、制御信号ａ１〜ａ３を変更することによって図５に示すように変化する。これにより、図４に示すように、制御信号ａ１〜ａ３によって、ディジェネレーション量を８段階に変更することができる。しかも、本実施の形態においては、ディジェネレーション量を０にすることも可能である。
【００４９】
なお、トランジスタＴａ１，Ｔａ２，Ｔａ３のゲート幅の比を１：２：４とすることによって、３ビットの制御信号により、ディジェネレーション量を等間隔で８段階に調整可能であるが、ゲート幅の比はこれに限定されるものではない。
【００５０】
図７は横軸に動作点調整トランジスタ回路のゲート幅の和に対応する指標（ＲＥＧ−Ｄｅｇｅｎ）をとり、縦軸に線形性の指標であるＩＩＰ３（入力換算３次インターセプトポイント）をとって、ディジェネレーション量の変化を示すグラフである。また、図８は横軸に動作点調整トランジスタ回路のゲート幅の和に対応する指標（ＲＥＧ−Ｄｅｇｅｎ）をとり、縦軸に増幅器の利得をとって、利得の変化を示すグラフである。
【００５１】
図７に示すように、動作点調整トランジスタ回路２１Ｎのゲート幅の和を小さくして線形性改善トランジスタ回路２１Ｄのゲート幅の和を大きくするほど、線形性が良好になることが分かる。逆に、図８に示すように、動作点調整トランジスタ回路２１Ｎのゲート幅の和を大きくして線形性改善トランジスタ回路２１Ｄのゲート幅の和を小さくするほど、利得が大きくなることが分かる。
【００５２】
このように本実施の形態においては、差動対を構成する入力トランジスタのディジェネレーション抵抗として、複数のトランジスタを切換えることでディジェネレーション量を可変にする線形性改善トランジスタ回路を設ける。そして、入力トランジスタのソース間を接続すると共に、線形性改善トランジスタ回路の各トランジスタと相補的にオンオフして、動作点を一定にするための動作点調整トランジスタ回路を設ける。これにより、動作点を変更することなくディジェネレーション量を変更することができ、ディジェネレーション量の制御時に動作点が変動することを防止することができる。また、線形性改善トランジスタ回路の全トランジスタをオフにすることにより、ディジェネレーション量を０にすることができ、増幅器の利得を最大にすることができる。この場合においても、ゲート幅が大きいトランジスタを用いる必要はなく、装置を小型化することができる。
【００５３】
上記実施の形態においては、ディジェネレーション抵抗として、トランジスタを利用する例を説明したが、抵抗とスイッチ素子による抵抗回路を並列接続し、制御信号によりスイッチ素子をオン，オフ制御することで抵抗値を可変にしたディジェネレーション抵抗を採用してもよい。
【００５４】
なお、本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５５】
１０，１１…電流源、Ｔ１Ａ１〜Ｔ１Ａ３，Ｔ２Ａ１〜Ｔ２Ａ３，Ｔ１Ｂ１〜Ｔ１Ｂ３，Ｔ２Ｂ１〜Ｔ２Ｂ３，Ｔ３Ｄ１〜Ｔ３Ｄ３，Ｔ４Ｄ１〜Ｔ４ＤＡ３，Ｔ１Ｎ１〜Ｔ１Ｎ３，Ｔ２Ｎ１〜Ｔ２Ｎ３…トランジスタ、Ｃ１，Ｃ２…コンデンサ。
【図１】
2018160811.tif 000003
【図２Ａ】
2018160811.tif 000004
【図２Ｂ】
2018160811.tif 000005
【図３】
2018160811.tif 000006
【図４】
2018160811.tif 000007
【図５】
2018160811.tif 000008
【図６Ａ】
2018160811.tif 000009
【図６Ｂ】
2018160811.tif 000010
【図６Ｃ】
2018160811.tif 000011
【図７】
2018160811.tif 000012
【図８】
2018160811.tif 000013